(57)【特許請求の範囲】
【請求項１】
ハウジング（４）と、
ハウジング（４）を通って動作するように適合されたピストン・ロッド（２０）と、
ハウジング（４）とピストン・ロッド（２０）との間に配置され、第１リードのらせん溝（７４）を有する投与量ダイヤル・スリーブ（７０）と、
投与量ダイヤル・スリーブ（７０）とピストン・ロッド（２０）との間に配置され、第２リードのらせん溝（３８）を有する駆動スリーブ（３０）とを備え、
らせん溝（７４）の第１リードおよびらせん溝（３８）の第２リードが同じであり、
投与量ダイヤル・スリーブ（７０）と駆動スリーブ（３０）はらせん溝（７４）とらせん溝（３８）の手段による機械的なかみ合わせのないものであって、駆動スリーブ（３０）はクラッチ手段によって投与量ダイヤル・スリーブ（７０）に係脱自在に接続されることを特徴とする、ペン型注射器。
【請求項２】
ピストン・ロッド（２０）が、第１端部の第１ねじ込み部分（１９）および第２端部の第２ねじ込み部分（２４）を有し、
インサート（１６）または径方向内向きに延びるフランジが、ハウジング（４）において配置され、それを通って、ピストン・ロッド（２０）の第１ねじ込み部分（１９）が回転することが可能であり、
投与量ダイヤル・スリーブ（７０）が、ハウジング（４）およびインサート（１６）に対して回転可能であり、
駆動スリーブ（３０）が、投与量ダイヤル・スリーブ（７０）に取外し可能に接続され、かつピストン・ロッド（２０）の第２ねじ込み部分（２４）に沿ってピストン・ロッドに対して回転するようにピストン・ロッド（２０）に接続され、
ボタン（８２）が、投与量ダイヤル・スリーブ（７０）上において配置され、かつ投与量ダイヤル・スリーブ（７０）に対して回転可能であり、
ボタン（８２）が押されるとき、投与量ダイヤル・スリーブ（７０）と駆動スリーブ（３０）との間の回転を可能にするクラッチ手段（６０）が提供されることを特徴とする、請求項１に記載のペン型注射器。
【請求項３】
駆動スリーブ（３０）に対して回転可能であり、かつ軸方向に変位可能であるが、ハウジング（４）に対して回転可能ではないナット（４０）をさらに備える、請求項１または２に記載のペン型注射器。
【請求項４】
駆動スリーブ（３０）が、第１端部において第１フランジおよび第２フランジ（３２，３４）を備え、中間線条（３６）が、第１フランジ（３２）と第２フランジ（３４）との間にあり、ナット（４０）が、第１フランジ（３２）と第２フランジ（３４）との間に配置され、かつスプライン手段（４２）によってハウジング（４）にキー止めされる、請求項３に記載のペン型注射器。
【請求項５】
第１径方向ストップ（１００）が、ナット（４０）の第２表面上において提供され、
第２径方向ストップ（１０２）が、第２フランジ（３４）の第１面上において提供される、請求項４に記載のペン型注射器。
【請求項６】
ピストン・ロッド（２０）の第１線条（１９）が、ピストン・ロッド（２０）の第２線条（２４）に対向して位置する、請求項２〜５のいずれかに記載のペン型注射器。
【請求項７】
クラッチ手段（６０）の第２端部が、投与量ダイヤル・スリーブ（７０）の第２端部と係合するように適合された複数のドッグ歯（６５）を備える、請求項２〜６のいずれかに記載のペン型注射器。
【請求項８】
クラッチ手段（６０）とハウジング（４）上において提供されるスプライン手段（４２）との間に配置されるクリッカ手段（５０）をさらに含む、請求項２〜７のいずれかに記載のペン型注射器。
【請求項９】
クリッカ手段（５０）がスリーブを備え、このスリーブが、第１端部において、らせんに延びるアーム（５２）、歯付き部材（５４）を有するアーム（５２）の自由端部、および第２端部において、クラッチ手段上に提供される対応する複数の周方向のこぎり歯（６６）と係合するように適合された複数の周方向のこぎり歯（５６）を備える、請求項８に記載のペン型注射器。
【請求項１０】
クリッカ手段（５０）がスリーブを備え、このスリーブが、第１端部において、少なくとも１つのらせんに延びるアーム（５２）および少なくとも１つのばね部材、歯付き部材を有するアーム（５２）の自由端部、ならびに第２端部において、クラッチ手段（６０）の上に提供される対応する複数の周方向のこぎり歯（６６）と係合するように適合された複数の周方向のこぎり歯（５６）を備える、請求項８に記載のペン型注射器。
【請求項１１】
主要ハウジング（４）が、投与量ダイヤル・スリーブ（７０）上に提供される径方向ストップ（１０４）によって隣接されるように適合された複数の最大投与量ストップ（１００，１０２）を備える、請求項１〜１０のいずれかに記載のペン型注射器。
【請求項１２】
最大投与量ストップ（１００，１０２）の少なくとも１つが、ハウジング（４）の第２端部において提供されるらせんリブ（４６）とスプライン手段（４２）との間に配置される径方向ストップを備える、請求項１１に記載のペン型注射器。
【請求項１３】
最大投与量ストップ（１００，１０２）の少なくとも１つが、ハウジング（４）の第２端部において提供される隆起窓部分（４４）の一部を備える、請求項１１に記載のペン型注射器。
【請求項１４】
投与量ダイヤル・スリーブ（７０）が、ハウジング（４）の第２端部において提供される対応する複数の径方向ストップ（１００，１０２）と隣接するように適合された複数の径方向に延びる部材を備える、請求項１〜１３のいずれかに記載のペン型注射器。
【発明の詳細な説明】
【技術分野】
【０００１】
本発明は、ペン型注射器、すなわち、複数回投与カートリッジから医薬品を注入することによる投与を提供する種類の注射器に関する。具体的には、本発明は、使用者が投与量を設定することが可能であるような注射器に関する。
【背景技術】
【０００２】
そのような注射器は、正式な医療訓練を受けていない個人による規則的な注入が行われる応用分野を有する。これは、糖尿病を有する人々の間ではますます一般的になってきており、自己処置により、そのような個人が、自分の糖尿病の有効な管理を実施することが可能になる。
【０００３】
これらの状況は、この種類のペン型注射器についていくつかの要件を設定する。注射器は、構造は頑強であるが、部品の操作およびその動作の使用者による理解の両方の観点において使用が容易でなければならない。糖尿病の人々の場合、多くの使用者は身体的に虚弱であり、視力が損なわれている可能性もある。注射器が再使用可能ではなく使い捨て可能である場合、注射器は、製造が安価で、廃棄が容易であるべきである（リサイクルに適切であることが好ましい）。
【発明の開示】
【発明が解決しようとする課題】
【０００４】
本発明の利点は、改良ペン型注射器が提供されることである。
【課題を解決するための手段】
【０００５】
本発明の第１態様によれば、ペン型注射器は、
ハウジングと、
ハウジングを通って動作するように適合されたピストン・ロッドと、
ハウジングとピストン・ロッドとの間に配置され、第１リードのらせん線条を有する投与量ダイヤル・スリーブと、
投与量ダイヤル・スリーブとピストン・ロッドとの間に配置され、第２リードのらせん溝を有する駆動スリーブとを備え、
らせん線条の第１リードおよびらせん溝の第２リードが同じであることを特徴とする。
【０００６】
好ましくは、ピストン・ロッドは、第１端部の第１ねじ込み部分および第２端部の第２ねじ込み部分を有し、
インサートまたは径方向内向きに延びるフランジがハウジングに配置され、それを通って、ピストン・ロッドの第１ねじ込み部分が回転することが可能であり、
投与量ダイヤル・スリーブが、ハウジングおよびインサートに対して回転可能であり、
駆動スリーブが、投与量ダイヤル・スリーブに取外し可能に接続され、かつピストン・ロッドの第２ねじ込み部分に沿って、ピストン・ロッドに対して回転するようにピストン・ロッドに接続され、
ボタンが、投与量ダイヤル・スリーブ上に配置され、投与量ダイヤル・スリーブに対して回転可能であり、
ボタンが押されるとき、投与量ダイヤル・スリーブと駆動スリーブとの間の回転を可能にするクラッチ手段が提供される。
【０００７】
好ましくは、注射器は、駆動スリーブに対して回転可能であり、かつ軸方向に変位可能であるが、ハウジングに対して回転可能ではないナットをさらに備える。
【０００８】
より好ましくは、駆動スリーブは、第１端部において第１フランジおよび第２フランジを備え、中間線条が第１フランジと第２フランジとの間にあり、ナットが、第１フランジと第２フランジとの間に配置され、かつスプライン手段によってハウジングにキー止めされる。さらに、第１径方向ストップが、ナットの第２面上において提供されることが可能であり、第２径方向ストップが、第２フランジの第１面上において提供されることが可能である。
【０００９】
好ましくは、ピストン・ロッドの第１線条は、ピストン・ロッドの第２線条の反対側に位置する。
【００１０】
好ましくは、クラッチの第２端部が、投与量ダイヤル・スリーブの第２端部と係合するように適合された複数のドッグ歯を備える。
【００１１】
好ましくは、ペン型注射器は、クラッチ手段間に配置されるクリッカ（clicker）手段、およびハウジング上に提供されるスプライン手段をさらに含む。
【００１２】
より好ましくは、クリッカ手段はスリーブを備え、このスリーブは、第１端部において、らせんに延びるアーム、歯付き部材を有するアームの自由端部、および第２端部において、クラッチ手段上に提供される対応する複数の周上のこぎり歯と係合するように適合された複数の周方向のこぎり歯を備える。
【００１３】
代替として、クリッカ手段はスリーブを備え、このスリーブは、第１端部において、少なくとも１つのらせんに延びるアームおよび少なくとも１つのばね部材、歯付き部材を有するアームの自由端部、ならびに第２端部において、クラッチ手段上に提供される対応する複数の周方向のこぎり歯と係合するように適合された複数の周方向のこぎり歯を備える。
【００１４】
好ましくは、主要ハウジングは、投与量ダイヤル・スリーブ上に提供される径方向ストップによって隣接されるように適合された複数の最大投与量ストップを備える。最大投与量ストップの少なくとも１つが、らせんリブとハウジングの第２端部において提供されるスプライン手段との間に配置される径方向ストップを備えることがより好ましい。代替として、最大投与量ストップの少なくとも１つは、ハウジングの第２端部において提供される隆起窓部分の一部を備える。
【００１５】
好ましくは、投与量ダイヤル・スリーブは、ハウジングの第２端部において提供される対応する複数の径方向ストップと隣接するように適合された複数の径方向に延びる部材を備える。
【００１６】
ここで、添付の図面を参照して、本発明について記述する。
【発明を実施するための最良の形態】
【００１７】
まず図１から５を参照すると、いくつかの位置における本発明によるペン型注射器を見ることが可能である。
【００１８】
ペン型注射器は、第１カートリッジ保持部分２を有するハウジング、および第２主要ハウジング部分４を備える。カートリッジ保持手段２の第１端部および主要ハウジング４の第２端部が、保持特徴６によって共に固定される。示される実施形態では、カートリッジ保持手段２は、主要ハウジング４の第２端部内において固定される。
【００１９】
医薬品のいくつかの投与量がディスペンスされることが可能であるカートリッジ８が、カートリッジ保持部分２において提供される。ピストン１０が、カートリッジ８の第１端部において保持される。
【００２０】
取外し可能キャップ１２が、カートリッジ保持部分２の第２端部の上において取外し可能に保持される。使用時、取外し可能キャップ１２は、使用者によって適切な針ユニット（図示せず）と交換することができる。交換可能キャップ１４が、主要ハウジング４から延びるカートリッジ保持部分２を覆うために使用される。交換可能キャップ１４の外部寸法は、交換可能キャップ１４がカートリッジ保持部分２を覆う位置にあるとき、ユニット全体の印象を提供するように、主要ハウジング４の外部寸法と同様または同一であることが好ましい。
【００２１】
示される実施形態では、インサート１６が、主要ハウジング４の第１端部において提供される。インサート１６は、回転運動または縦方向運動に対抗して固定される。インサート１６は、それを通って延びるねじ込み円形開口１８を備える。代替として、インサートは、内部線条を有する径方向内向きのフランジの形態で、主要ハウジング４と一体式に形成されることが可能である。
【００２２】
第１線条１９が、ピストン・ロッド２０の第１端部から延びる。ピストン・ロッド２０は、ほぼ円形のセクションである。ピストン・ロッド２０の第１端部は、インサート１６のねじ込み開口１８を通って延びる。圧力フット２２が、ピストン・ロッド２０の第１端部に配置される。圧力フット２２は、カートリッジ・ピストン１０の第２端部と隣接するように配置される。第２線条２４が、ピストン・ロッド２０の第２端部から延びる。示される実施形態では、第２線条２４は、完全な線条ではなく、一連の部分線条を備える。示される実施形態は、製造がより簡単であり、使用者が医薬品をディスペンスするのに必要な力全体を低減するように作用する。
【００２３】
第１線条１９および第２線条２４は、対向して位置する。ピストン・ロッド２０の第２端部は、受取り凹み２６を備える。
【００２４】
駆動スリーブ３０が、ピストン・ロッド２０の回りに延びる。駆動スリーブ３０は、ほぼ円筒である。駆動スリーブ３０は、第１端部において、第１の径方向に延びるフランジ３２を備える。第２の径方向に延びるフランジ３４が、第１フランジ３２から駆動スリーブ３０に沿って距離をおいて提供される。中間線条３６が、第１フランジ３２と第２フランジ３４との間に延びる駆動スリーブ３０の外側部分の上において提供される。らせん溝３８が、駆動スリーブ３０の内表面に沿って延びる。ピストン・ロッド２０の第２線条２４は、らせん溝３８内において作用するように適合される。
【００２５】
第１フランジ３２の第１端部が、インサート１６の第２側と合致するように適合される。
【００２６】
ナット４０が、駆動スリーブ３０と主要ハウジング２との間に配置され、第１フランジ３２と第２フランジ３４との間に位置する。示される実施形態では、ナット４０は、ハーフ・ナットである。これは、注射器の組立てを補助する。ナット４０は、中間線条３６と整合する内部線条を有する。ナット４０の外表面および主要ハウジング４の内表面は、ナット４０と主要ハウジング４との間の相対回転を防止し、一方、その間の相対縦方向運動を可能にするように、スプライン４２（図１０、１１、１５、および１６を参照）によって共にキー止めされる。
【００２７】
ショルダ３７が、駆動スリーブ３０の第２端部と、駆動スリーブ３０の第２端部において提供される延長部３８との間に形成される。延長部３８は、駆動スリーブ３０の残りと比較して、低減された内径および外径を有する。延長部３８の第２端部が、径方向外向きのフランジ３９を備える。
【００２８】
クリッカ５０およびクラッチ６０が、駆動スリーブ３０と投与量ダイヤル・スリーブ７０との間において（以下で記述されるように）、駆動スリーブ３０の回りに配置される。
【００２９】
クリッカ５０は、駆動スリーブ３０の第２フランジ３４に隣接して配置される。クリッカ５０は、ほぼ円筒であり、第１端部において柔軟ならせんに延びるアーム５２を備える（図６において最も明瞭に示される）。アーム５２の自由端部が、径方向歯付き部材５４を備える。クリッカ５０の第２端部が、一連の周方向のこぎり歯５６（図７参照）を備える。各のこぎり歯は、縦方向表面および傾斜表面を備える。
【００３０】
代替実施形態（図示せず）では、クリッカ手段は、少なくとも１つのばね部材をさらに含む。少なくとも１つのばね部材は、ディスペンスに続くクラッチ手段６０の再設定を補助する。
【００３１】
クラッチ手段６０は、駆動スリーブ３０の第２端部に隣接して配置される。クラッチ手段６０は、ほぼ円筒であり、第１端部において、一連の周方向のこぎり歯６６（図７参照）を備える。各のこぎり歯は、縦方向表面および傾斜表面を備える。クラッチ手段６０の第２端部６４に向かって、径方向内向きフランジ６２が存在する。クラッチ手段６０のフランジ６２は、駆動スリーブ３０のショルダ３７と延長部３８の径方向外向きフランジ３９との間に位置する。クラッチ手段６０の第２端部は、複数のドッグ歯６５を備える（図８）。クラッチ６０は、クラッチ６０と駆動スリーブ３０との間の相対回転を防止するために、スプライン（図示せず）によって駆動スリーブ３０にキー止めされる。
【００３２】
示される実施形態では、クリッカ５０およびクラッチ６０は、それぞれ、駆動スリーブ３０のほぼ半分まで延びる。しかし、これらの部分の相対長さに関する他の構成が可能であることが理解されるであろう。
【００３３】
クリッカ５０およびクラッチ手段６０は、通常、係合している、すなわち、図７に示される通りである。
【００３４】
投与量ダイヤル・スリーブ７０が、クリッカ５０およびクラッチ手段６０の外部において、かつ主要ハウジング４の径方向内向きに提供される。らせん溝７４が、投与量ダイヤル・スリーブ７０の外表面の回りに提供される。
【００３５】
主要ハウジング４は、窓４４を備え、それを通して、投与量スリーブの外表面の一部を見ることが可能である。主要ハウジング４は、らせんリブ４６をさらに備え、このリブは、投与量ダイヤル・スリーブ７０の外表面上のらせん溝７４に位置するように適合される。らせんリブ４６は、主要ハウジング４の内表面を単一掃引するように延びる。第１ストップ１００が、スプライン４２とらせんリブ４６との間に提供される（図１５）。第２ストップ１０２が、第１ストップ１００に対して１８０°の角度に位置し、主要ハウジング４において窓４４を囲むフレームによって形成される（図１６）。
【００３６】
参照番号（図示せず）など、ダイヤルされることが可能である投与量の視覚表示が、投与量ダイヤル・スリーブ７０の外表面上において提供されることが好都合である。窓４４は、現在ダイヤルされている投与量の視覚表示を見ることのみを可能にすることが好都合である。
【００３７】
投与量ダイヤル・スリーブ７０の第２端部が、いくつかの径方向に延びる部材７５の形態の内向きフランジを備える。投与量ダイヤル・グリップ７６が、投与量ダイヤル・スリーブ７０の第２端部の外表面の回りに位置する。投与量ダイヤル・グリップ７６の外径が、主要ハウジング４の外径に対応することが好ましい。投与量ダイヤル・グリップ７６は、投与量ダイヤル・スリーブ７０との間の相対回転を防止するために、投与量ダイヤル・スリーブ７０に固定される。投与量ダイヤル・グリップ７６は、中央開口７８を備える。投与量ダイヤル・グリップ７６の第２端部に位置する環状凹み８０が、開口７８の回りに延びる。
【００３８】
ほぼ「Ｔ」のセクションのボタン８２が、ペン型注射器の第２端部において提供される。ボタン８２のステム８４が、投与量ダイヤル・グリップ７６の開口７８を通り、駆動スリーブ３０の延長部３８の内径を通って、ピストン・ロッド２０の受取り凹み２６の中へ延びることが可能である。ステム８４は、駆動スリーブ３０における軸方向運動を限定するように、駆動スリーブ３０に対する回転に対抗して保持される。ボタン８２のヘッド８５は、ほぼ円形である。スカート８６が、ヘッド８５の周囲から寄りかかる。スカート８６は、投与量ダイヤル・グリップ７６の環状凹み８０に位置するように適合される。
【００３９】
ここで、本発明によるペン型注射器の動作について記述する。図９、１０、および１１において、矢印Ａ、Ｂ、Ｃ、Ｄ、Ｅ、Ｆ、およびＧは、ボタン８２、投与量ダイヤル・グリップ７６、投与量ダイヤル・スリーブ７０、駆動スリーブ３０、クラッチ手段６０、クリッカ５０、およびナット４０の運動をそれぞれ表す。
【００４０】
投与量をダイヤルするために（図９）、使用者が、投与量ダイヤル・グリップ７６を回転させる（矢印Ａ）。クリッカ５０およびクラッチ手段６０が係合しているので、駆動スリーブ３０、クリッカ５０、クラッチ手段６０、および投与量ダイヤル・スリーブ７０は、投与量ダイヤル・グリップ７６と共に回転する。
【００４１】
ダイヤルされている投与量の可聴式および触知フィードバックが、クリッカ５０およびクラッチ手段６０によって提供される。トルクが、クリッカ５０とクラッチ手段６０との間において、のこぎり歯５６、６６により伝達される。柔軟アーム５２が変形し、クリックを生成するように、歯付き部材５４をスプライン４２上においてドラグする。スプライン４２は、各クリックが単位投与量に対応するように位置することが好ましい。
【００４２】
投与量ダイヤル・スリーブ７０上のらせん溝７４および駆動スリーブ３０のらせん溝３８は、同じリードを有する。これにより、同じ割合で、投与量ダイヤル・スリーブ７０（矢印Ｃ）が主要ハウジング４から延び、駆動スリーブ３０（矢印Ｄ）がピストン・ロッド２０を上ることが可能になる。進行の限界において、投与量ダイヤル・スリーブ７０上の径方向ストップ１０４が、さらなる運動を防止するために、主要ハウジング４上に提供される第１ストップ１００または第２ストップ１０２と係合する。ピストン・ロッド２０の回転は、ピストン・ロッド２０上において整備線条（overhauled thread）および駆動線条が反対方向であることにより防止される。
【００４３】
ナット４０は、主要ハウジング４にキー止めされ、駆動スリーブ３０の回転（矢印Ｄ）によって中間線条３６に沿って前進される。最終投与量ディスペンス位置（図４、５、および１３）に到達するとき、ナット４０の第２表面上に形成される径方向ストップ１０６が、駆動スリーブ３０の第２フランジ３４の第１表面上の径方向ストップ１０８と隣接して、ナット４０および駆動スリーブ３０の両方がさらに回転するのを防止する。
【００４４】
代替実施形態（図示せず）では、ナット４０の第１表面が、第１フランジ３２の第２表面上に提供される径方向ストップと隣接する径方向ストップを備える。これは、ペン型注射器の組立て中、カートリッジフルの位置にナット４０を配置するのを補助する。
【００４５】
使用者が、望ましい投与量を超えて不注意にダイヤルしてしまった場合、ペン型注射器は、カートリッジから医薬品をディスペンスせずに、投与量をダイヤル・ダウンすることを可能にする（図１０）。投与量ダイヤル・グリップ７６は、反対に回転される。これにより、システムは、反対に作用する。柔軟アーム５２は、ここで、クリッカが回転するのを防止するラチェットとして作用する。クラッチ手段６０により伝達されるトルクにより、のこぎり歯５６、６６は、ダイヤルされた投与量低減に対応するクリックを創出するように、互いの上に乗る。のこぎり歯５６、６６は、各のこぎり歯の周囲の程度が単位投与量に対応するように位置することが好ましい。
【００４６】
望ましい投与量がダイヤルされたとき、使用者は、ボタン８２を押すことによってこの投与量をディスペンスすることが可能である（図１１）。これにより、クラッチ手段６０は、投与量ダイヤル・スリーブ７０に対して軸方向に変位し、ドッグ歯６５が外れる。しかし、クラッチ手段６０は、駆動スリーブ３０に対する回転について依然としてキー止めされている。投与量ダイヤル・スリーブ７０および関連する投与量ダイヤル・グリップ７６は、ここで、自由に回転する（らせん溝７４に位置するらせんリブ４６によって誘導される）。
【００４７】
軸方向運動は、ディスペンス中にのこぎり歯５６、６６を整備することができないことを保証するために、クリッカ５０の柔軟アーム５２を変形させる。これは、駆動スリーブ３０が主要ハウジング４に対して回転することを防止するが、駆動スリーブ３０は、主要ハウジング４に対して軸方向に依然として自由に移動する。この変形は、圧力がボタン８２から除去されるとき、クラッチ６０と投与量ダイヤル・スリーブ７０との間の接続を回復するように、駆動スリーブ３０に沿ってクリッカ５０およびクラッチ６０を戻すために後に使用される。
【００４８】
駆動スリーブ３０の縦方向軸運動により、ピストン・ロッド２０は、インサート１６の開口１８を通って回転し、それにより、ピストン１０はカートリッジ８において前進する。ダイヤル投与量がディスペンスされた後、投与量ダイヤル・スリーブ７０は、投与量ダイヤル・グリップ７６から延びる複数の部材１１０（図１４）と、主要ハウジング４において形成される対応する複数のストップ１１２とが接触することによって、さらに回転することが防止される（図１５および１６）。示される実施形態では、部材１１０は、投与量ダイヤル・グリップ７６から軸方向に延び、傾斜端部表面を有する。ゼロ投与量位置が、部材１１０の軸方向に延びる縁の１つと対応するストップ１１２との隣接によって決定される。
【図面の簡単な説明】
【００４９】
【図１】第１（カートリッジフルの）位置における、本発明によるペン型注射器の断面図である。
【図２】第２（最大の最初の投与量がダイヤルされている）位置における、図１のペン型注射器の断面図である。
【図３】第３（最大の最初の投与量がディスペンスされた）位置における、図１のペン型注射器の断面図である。
【図４】第４（最後の投与量がダイヤルされている）位置における、図１のペン型注射器の断面図である。
【図５】第５（最後の投与量がディスペンスされた）位置における、図１のペン型注射器の断面図である。
【図６】図１のペン型注射器の第１の詳細の破断図である。
【図７】図１のペン型注射器の第２の詳細の部分破断図である。
【図８】図１のペン型注射器の第３の詳細の部分破断図である。
【図９】投与量のダイヤル・アップ中の図１に示されたペン型注射器の部分の相対運動を示す図である。
【図１０】投与量のダイヤル・ダウン中の図１に示されたペン型注射器の部分の相対運動を示す図である。
【図１１】投与量のディスペンス中の図１に示されたペン型注射器の部分の相対運動を示す図である。
【図１２】第２（最大の最初の投与量がダイヤルされている）位置における図１のペン型注射器の部分破断図である。
【図１３】第４（最後の投与量がダイヤルされている）位置における図１のペン型注射器の部分破断図である。
【図１４】第１、第３、または第５位置の１つにおける図１のペン型注射器の部分破断図である。
【図１５】図１のペン型注射器の主要ハウジングの第１部分の破断図である。
【図１６】図１のペン型注射器の主要ハウジングの第２部分の破断図である。
【図１】
0004741463.tif 000002
【図２】
0004741463.tif 000003
【図３】
0004741463.tif 000004
【図４】
0004741463.tif 000005
【図５】
0004741463.tif 000006
【図６】
0004741463.tif 000007
【図７】
0004741463.tif 000008
【図８】
0004741463.tif 000009
【図９】
0004741463.tif 000010
【図１０】
0004741463.tif 000011
【図１１】
0004741463.tif 000012
【図１２】
0004741463.tif 000013
【図１３】
0004741463.tif 000014
【図１４】
0004741463.tif 000015
【図１５】
0004741463.tif 000016
【図１６】
0004741463.tif 000017